(57)【要約】【課題】機能門柱をすっきりとした外観とし、配線作業を容易に行えるようにし、、電気配線を収納した部分に雨水が浸入することを防止する。【解決手段】内部に配線通路５を形成した門柱本体２の左右一方の側面に配線ボックス１８を取り付けると共に該配線ボックス１８に電気機器（インターホン装置１９）を設ける。配線通路５内の電気配線を門柱本体２から引き出して配線ボックス１８内に導入した後に電気機器に接続する。配線ボックス１８を、後面に配線作業用開口部１６を形成したボックス本体２１と、該ボックス本体２１の配線作業用開口部１６を閉塞する着脱自在な蓋体２２とで構成する。ボックス本体２１の上面に前面側に表示部を備えた表札ユニット３ｃを設置する。表札ユニット３ｃの後端部から下方に向けて覆部５４を突出する。覆部５４で蓋体２２の後面上端部を覆う。【選択図】図１
2008280756.tif 000002
【特許請求の範囲】
【請求項１】
内部に配線通路を形成した門柱本体の左右一方の側面に配線ボックスを取り付けると共に該配線ボックスに電気機器を設け、前記配線通路内の電気配線を門柱本体から引き出して配線ボックス内に導入した後に電気機器に接続し、前記配線ボックスは、後面に配線作業用開口部を形成したボックス本体と、該ボックス本体の配線作業用開口部を閉塞する着脱自在な蓋体とで構成され、ボックス本体の上面に前面側に表示部を備えた表札ユニットを設置し、該表札ユニットの後端部から下方に向けて覆部を突出し、該覆部で蓋体の後面上端部を覆って成ることを特徴とする機能門柱。
【請求項２】
前記表札ユニットは側面視略山形状に形成されると共に表示部を設けた前側傾斜板と後側傾斜板を備え、該表札ユニットの後側傾斜板の下端部を下方に延出して前記覆部を形成して成ることを特徴とする請求項１に記載の機能門柱。
【請求項３】
門柱本体から前記表札ユニットの上方に位置する照明ユニットを突設すると共に、該照明ユニットの下面と表札ユニットの上端との間に隙間を形成し、該照明ユニットに下方に向けて光を照射する光源を設けて成ることを特徴とする請求項１又は請求項２に記載の機能門柱。
【発明の詳細な説明】
【技術分野】
【０００１】
本発明はインターホンや表札を設けた機能門柱に関する。
【背景技術】
【０００２】
従来から敷地の玄関先に立設される機能門柱が知られており、この機能門柱には例えば特許文献１に示すようにインターホン等の電気機器が設置される。特許文献１では門柱本体の前面に電気機器としてのインターホン装置を設けてあり、該インターホン装置は門柱本体内で地中から門柱本体に至る電気配線と接続している。また、門柱本体の後面にはインターホン装置に電気配線を接続したり、該接続部分を点検するための配線作業用開口部を形成している。
【０００３】
しかし、上記のように門柱本体の前面にインターホン装置を設けた場合、門柱本体の左右幅をインターホン装置の左右幅よりも短くできず、門柱本体の左右幅が長くなって機能門柱がすっきりとした外観とならない。また、門柱本体の後面に設けた配線作業用開口部は蓋によって開閉自在に閉塞されるが、門柱本体の後面において配線作業用開口部の上方部分に付いた雨水が流下し、前記蓋の上縁から電気配線を収納した門柱本体内に浸入する恐れがある。
【特許文献１】特開平５−１７０９７号公報
【発明の開示】
【発明が解決しようとする課題】
【０００４】
本発明は上記従来の問題点に鑑みて発明したものであって、機能門柱をすっきりとした外観とでき、配線作業を容易に行うことができ、また電気配線を収納した部分に雨水が浸入することを防止できる機能門柱を提供することを課題とする。
【課題を解決するための手段】
【０００５】
上記課題を解決するために本発明に係る機能門柱は、内部に配線通路５を形成した門柱本体２の左右一方の側面に配線ボックス１８を取り付けると共に該配線ボックス１８に電気機器（インターホン装置１９）を設け、前記配線通路５内の電気配線を門柱本体２から引き出して配線ボックス１８内に導入した後に電気機器に接続し、前記配線ボックス１８は、後面に配線作業用開口部１６を形成したボックス本体２１と、該ボックス本体２１の配線作業用開口部１６を閉塞する着脱自在な蓋体２２とで構成され、ボックス本体２１の上面に前面側に表示部を備えた表札ユニット３ｃを設置し、該表札ユニット３ｃの後端部から下方に向けて覆部５４を突出し、該覆部５４で蓋体２２の後面上端部を覆って成ることを特徴とする。
【０００６】
このように門柱本体２の側面に設けた配線ボックス１８に電気機器を設けることで、門柱本体２の左右幅を短くして、機能門柱をすっきりとした外観とすることができ、また、配線作業を行う配線ボックス１８の左右幅寸法を門柱本体２の左右幅よりも長くできる。また、配線ボックス１８の配線作業用開口部１６を閉塞する蓋体２２の後面上端部を、表札ユニット３ｃの後端部から下方に向けて突出した覆部５４によって覆うことができる。
【０００７】
また、前記表札ユニット３ｃは側面視略山形状に形成されると共に表示部を設けた前側傾斜板４８と後側傾斜板４９を備え、該表札ユニット３ｃの後側傾斜板４９の下端部を下方に延出して前記覆部５４を形成することが好ましい。この場合、後側傾斜板４９上の雨水を後側傾斜板４９の傾斜により覆部５４側に流下させ、覆部５４の背面を伝って地面１に流し落とすことができる。
【０００８】
また、門柱本体２から前記表札ユニット３ｃの上方に位置する照明ユニット４を突設すると共に、該照明ユニット４の下面と表札ユニット３ｃの上端との間に隙間７９を形成し、該照明ユニット４に下方に向けて光を照射する光源（ＬＥＤ６４）を設けることが好ましい。
【０００９】
この場合、光源からの光を隙間７９を介して下方の表札ユニット３ｃの前側傾斜板４８の前面及び後側傾斜板４９の後面に当て、表札ユニット３ｃの前方や後方に反射させることができる。
【発明の効果】
【００１０】
請求項１に係る発明では、門柱本体の左右幅を短くして、機能門柱をすっきりとした外観として見栄え良くできる。また、配線ボックスの左右幅寸法を門柱本体の左右幅よりも長くし、配線作業用開口部から容易に配線ボックス内の配線作業を行うことができる。また、蓋体の後面上端部を表札ユニットの後端部から下方に向けて突出した覆部によって覆うことができ、雨水などが蓋体の上端部と配線ボックスの後端面との間の隙間から配線ボックス内に浸入することを防止できる。
【００１１】
また、請求項２に係る発明では、請求項１に係る発明の効果に加えて、後側傾斜板の傾斜を利用することで、表札ユニットの後側傾斜板上の雨水を覆部の背面を伝ってスムーズに地面に流れ落とすことができる。
【００１２】
また、請求項３に係る発明では、請求項１又は請求項２に係る発明の効果に加えて、光源からの光が隙間を介して下方の表札ユニットの前側傾斜板の前面及び後側傾斜板の後面にあたって前方や後方に反射し、あたかも表札部材が前後方向に発光するような照明を行うことができる。
【発明を実施するための最良の形態】
【００１３】
以下、本発明を添付図面に示す実施形態に基づいて説明する。なお、本発明の機能門柱は、例えば機能門柱の後側を建物の玄関側に配置して玄関先に立設されるものである。
【００１４】
図１は本実施形態の一例の機能門柱の全体斜視図であり、図２は機能門柱の正面図及び側面図、図３は分解斜視図である。機能門柱は、玄関先の地面１等に垂直に立設される門柱本体２と、門柱本体２の左右一方の側面（図示例では左側面）の上部に上下方向に複数並設される設備ユニット３ａ〜３ｃを備えている。設備ユニット３ａ〜３ｃとしては、下方に配置されるものから順に、ポストユニット３ａ、インターホンユニット３ｂ、表札ユニット３ｃの計３個の設備ユニットを備えている。また、門柱本体２の上端部には表札ユニット３ｃの照明を行う照明ユニット４を設けてあり、ポストユニット３ａ、インターホンユニット３ｂ及び照明ユニット４は門柱本体２に対して片持ちで支持される。なお、表札ユニット３ｃはインターホンユニット３ｂ上に載設される。
【００１５】
門柱本体２は水平断面で前後方向に長い角筒状のアルミ型材からなり、図２のように門柱本体２の下端部を地中に埋設することで地面１に立設される。図３に示すように門柱本体２の内部には門柱本体２の上下方向の全長に亘る配線通路５を形成してあり、門柱本体２の下端部開口から地中の電気配線（図示せず）が配線通路５に導入される。門柱本体２の左側壁部の上部で且つインターホンユニット３ｂが取付けられる部分には配線導出用孔６を形成してあり、地中から配線通路５に導入された前記電気配線のうちインターホンユニット３ｂに接続される電気配線が配線導出用孔６から導出され、照明ユニット４に接続される電気配線が門柱本体２の上端開口から導出される。門柱本体２の下端部には門柱本体２を左右方向に貫通する回り止め棒８を設けてあり、回り止め棒８を門柱本体２の下端部と共に地中に埋設することで、門柱本体２の回り止めがなされる。門柱本体２の上部の左右一方の側壁部（図示例では左側壁部）には、インターホンユニット３ｂ及びポストユニット３ａを取り付けるためのねじ孔９を上下に複数穿設してある。また、同側壁部の上端部の前後にはビス８７を挿通するための孔１０を穿設している。
【００１６】
ポストユニット３ａは縦置型の郵便受け箱７からなる。郵便受け箱７の前後長さはインターホンユニット３ｂ、表札ユニット３ｃ、門柱本体２の夫々の前後長さよりも長い。縦長直方体状の郵便受け箱７の前面には縦長の投入口１１を設けてあり、後面には取出口１２を設けている。郵便受け箱７の左右両側板の前部にはビス１４、８６を挿通するための孔１５を上下方向に複数穿設している。郵便受け箱７を門柱本体２に取り付けるには、郵便受け箱７の門柱本体２側の側板に設けた各孔１５にビス１４を挿通し、各ビス１４を門柱本体２の対応するねじ孔９に螺合する。これにより、郵便受け箱７は門柱本体２の左側の側面に沿って取り付けられ、このように取り付けたポストユニット３ａの前面は門柱本体２の前面と略面一となり、またポストユニット３ａの後部は門柱本体２よりも後方に突出する。なお、ポストユニット３ａの前面は門柱本体２の前面よりも若干後方に位置する。また郵便受け箱７は左右対称に形成してあり、本例のように門柱本体２の左側に設備ユニット３ａ〜３ｃを設置する場合だけではなく、門柱本体２と左右対称形状の右用の門柱本体（図示せず）の右側にも取り付け可能となっている。
【００１７】
インターホンユニット３ｂは、電気機器としてインターホン装置１９を備えたものであり、門柱本体２の左側の側面に設けた配線ボックス１８と、配線ボックス１８に設けたインターホン装置１９（インターホン子機）で構成される。
【００１８】
インターホンユニット３ｂを構成する配線ボックス１８の左右方向の幅寸法は郵便受け箱７の左右方向の幅寸法と同じである。配線ボックス１８はその前後長さを門柱本体２の前後長さと略同じ（詳しくは若干短い）とした方形箱状に形成してあり、郵便受け箱７の上面に載置した状態で門柱本体２に取り付けられる。配線ボックス１８は、後面に配線作業用開口部１６を形成した門柱本体２に取り付けられるボックス本体２１と、該ボックス本体２１の配線作業用開口部１６を閉塞する縦板状の蓋体２２とで構成してある。さらに、ボックス本体２１は、門柱本体２に取り付けられる前面及び後面が開口した正面視ロ字状で筒状の箱体２３と、箱体２３の前開口を閉塞してインターホン装置１９が設置される台座２４とで構成してある。
【００１９】
箱体２３はアルミ型材からなり、両側板部の中央部に配線通し用孔２５を穿設している。箱体２３の底板２６及び天板２７の夫々の前後両端部にはねじ込み部２８を形成している。箱体２３の底板２６の上面及び天板２７の下面の夫々には前後方向の全長に亘って断面Ｃ字状のビスホールを形成してあり、各ビスホールの前後両端部で前記底板２６及び天板２７の夫々の前後に設けたねじ込み部２８を構成している。また箱体２３の両側板の夫々にはビス３５を挿通するための孔２９を上下に複数穿設している。
【００２０】
図７に示すように台座２４は箱体２３の前開口を閉塞する前板３０と箱体２３の天板２７に載置される上板３１を備えた側断面略逆Ｌ字状のアルミ又はステンレス製の板からなり、台座２４の上板３１でボックス本体２１の上面を構成している。台座２４の前板３０の中央にはインターホン装置１９がビス３２により前板３０の前面に沿って取り付けられる。台座２４の前板３０の下端部にはビス３４を挿通するための孔３３を穿設してあり、孔３３から挿通したビス３４を箱体２３の下側且つ前側のねじ込み部２８に螺合することで、台座２４は箱体２３に取り付けられる。なお、インターホン装置１９は、箱体２３に取り付ける前の台座２４に取り付けても良いし、箱体２３に取り付けた後の台座２４に取り付けても良い。
【００２１】
ボックス本体２１を門柱本体２に取り付けるには、箱体２３の門柱本体２側の側板に設けた各孔２９にビス３５を挿通し、各ビス３５を門柱本体２の対応するねじ孔９に螺合する。これにより、ボックス本体２１は門柱本体２の左側の側面に沿って取り付けられる。この取り付け状態では、箱体２３が郵便受け箱７上に載置され、また台座２４の前板３０の前面（即ちボックス本体２１の前面）が郵便受け箱７の前面と面一となる。またこの箱体２３の配線通し用孔２５は門柱本体２の配線導出用孔６に対向し、前記配線導出用孔６から導出された電気配線は配線通し用孔２５を介してボックス本体２１内に導入される。なお、ボックス本体２１は、箱体２３を門柱本体２に取り付けた後に台座２４を箱体２３に取り付けても良いし、台座２４を箱体２３に取り付けた後に箱体２３を門柱本体２に取り付けても良い。
【００２２】
台座２４の前板３０のインターホン装置１９に対向する部分には配線引出孔３６を穿設してあり、前述の配線通し用孔２５を介してボックス本体２１内に導入された電気配線は配線引出孔３６を介してインターホン装置１９に接続される。即ち、地中の電気配線は、門柱本体２の配線通路５、配線導出用孔６、配線通し用孔２５、ボックス本体２１の内部、配線引出孔３６、を順に通過し、外部に露出することなくインターホン装置１９に接続される。なお、門柱本体２から引き出した電気配線をインターホン装置１９に接続する作業はボックス本体２１の配線作業用開口部１６から手を入れて行うものであり、この配線作業用開口部１６は配線ボックス１８内を点検するための開口部としても利用される。
【００２３】
台座２４の上板３１の前部両側には上板３１を切り起こして形成した側面視逆Ｌ字状の被係止片３７を設けてあり、各被係止片３７と上板３１との間に後方に開口する差込溝３８を形成している。また上板３１の後縁の両側端部から垂下片３９を垂設している。
【００２４】
蓋体２２はアルミ又はステンレス製の板からなる。図８に示すように蓋体２２の下端部にビス４３を挿通するための孔４０を穿設してあり、上端部には上方に開口する切欠からなるビス挿通用の開口部４１を形成している。蓋体２２の上端部の両側端部には垂下片３９と略同大同形の切欠４２を形成している。蓋体２２をボックス本体２１に取り付けるには、蓋体２２を各切欠４２に台座２４の各垂下片３９が位置するように配置し、該蓋体２２の孔４０に挿通したビス４３を箱体２３の下側且つ後側のねじ込み部２８に螺合し、この後、後述のように配線ボックス１８上に表札ユニット３ｃを構成する表札部材４７を取り付けて該表札部材４７を用いて蓋体２２を固定する。なお配線ボックス１８も左右対称形状であり、前述のポストユニット３ａと同様に左用の門柱本体の左側にも取り付け可能である。
【００２５】
図４及び図７に示すように表札ユニット３ｃは側面視略山形状に形成したアルミ型材からなる表札部材４７で構成してある。表札部材４７の左右幅寸法は配線ボックス１８の左右方向の幅寸法と同じであり、つまりポストユニット３ａ、インターホンユニット３ｂ、表札ユニット３ｃは全て左右方向の幅寸法が同じである。また表札部材４７の前後長さは配線ボックス１８の前後長さと略同じであり、つまり門柱本体２の前後長さと略同じ（詳しくは若干短い）である。
【００２６】
表札部材４７は山形状の前側傾斜面を構成する前側傾斜板４８と後側傾斜面を構成する後側傾斜板４９を備えており、インターホンユニット３ｂの配線ボックス１８とは別体である。前側傾斜板４８の前面には表示部として居住者の名前等の表札表示５０を記している。前側傾斜板４８は前側に行く程下り傾斜しているため、表札部材４７の前方に居る人がやや上方から表札部材４７に設けた表札表示５０を見た場合に視認しやすいという利点がある。
【００２７】
前側傾斜板４８及び後側傾斜板４９の下部同士は表札部材４７の左右方向の全長に亘る横片状の連結片５１によって一体に連結してあり、補強されている。連結片５１の前部には下方に向けて側断面Ｌ字状の係止片５２を一体に突設してあり、該係止片５２の横片状部５２ａは前方に向けて突出している。
【００２８】
前側傾斜板４８及び後側傾斜板４９の夫々の下端部は連結片５１よりも下方に突出し、このうち前側傾斜板４８の下端部は前側載置部となっている。一方、図６に示すように後側傾斜板４９の下端には載置片５３を後方に向けて一体に突設してあり、該載置片５３が後側載置部となっている。後側傾斜板４９の下端部に設けた載置片５３の後端部は下方に延出されて縦片状の覆部５４を形成してあり、該覆部５４と載置片５３とで側断面逆Ｌ字状をなしている。覆部５４には前後方向に貫通するビス挿通用の孔５５を穿設している。
【００２９】
表札部材４７を配線ボックス１８に取り付けるには、まず、図４（ｂ）や図７に示すように各係止片５２の横片状部５２ａを台座２４上の各差込溝３８に挿入して、各係止片５２を対応する被係止片３７に係止すると共に、前側載置部である前側傾斜板４８の下端部及び前側載置部である載置片５３を配線ボックス１８の上面の前縁部及び後縁部の夫々に載置する。またこの時、図６のように表札部材４７の覆部５４の前面と箱体２３の天板２７の後端との間には、蓋体２２の上端部（両切欠４２間の部分）と、この両側に位置する台座２４の両垂下片３９が配置される。そして、このように仮止めした表札部材４７の覆部５４に設けた孔５５にビス５６を挿通し、該ビス５６を蓋体２２の開口部４１を通して箱体２３の上側且つ後側のねじ込み部２８に螺合することで、表札部材４７が配線ボックス１８に本固定される。また、このように配線ボックス１８に取り付けた表札部材４７の覆部５４と箱体２３の天板２７で、蓋体２２の上端部及びこの両側に位置する台座２４の両垂下片３９が挟持固定される。
【００３０】
ここで、表札部材４７の覆部５４の下端は蓋体２２の両切欠４２よりも下方に位置し、このため、台座２４の上板３１の後端縁部における垂下片３９を設けていない左右中央部と、同部の下方に位置する蓋体２２の上縁部の両側の切欠４２を除く左右中央部の間の隙間、及び、台座２４の各垂下片３９の下縁部と、同部の下方に位置する蓋体２２の切欠４２の縁部との間の隙間は、その後方が覆部５４により覆われる。即ち、台座２４の後縁部と、この下方に位置する蓋体２２の上縁部の間に形成される隙間は、覆部５４により左右方向の全長に亘って覆われ、この覆部５４により雨水などが前記隙間から配線ボックス１８内に浸入することが防止される。また、本例の覆部５４は後方程下側に位置するように傾斜した後側傾斜板４９の下端部を下方に延出して形成したものであるので、後側傾斜板４９の傾斜を利用して、表札部材４７の後側傾斜板４９上の雨水を覆部５４の背面を伝ってスムーズに流し落とすことができる。また、本例では、ビス５６を蓋体２２の上端部に形成した上方に開口する開口部４１を通して箱体２３に螺合してあり、このため、ビス３４を箱体２３から外し、ビス５６のねじ込み部２８に対する螺合を緩めるだけで、蓋体２２の上端部を覆部５４と天板２７との間から下方に引き抜くことができ、配線ボックス１８内の点検を容易に行うことができる。
【００３１】
なお、上記のように取り付けた表札部材４７の前端は平面視で配線ボックス１８の前面（即ち台座２４の前板３０の前面）及び郵便受け箱７の前面と重複する位置に配置される。また、表札ユニット３ｃは左右対称形状であり、前述の左用の門柱本体２にも対応可能となっている。
【００３２】
照明ユニット４は門柱本体２の上端から各種設備ユニット３ａ〜３ｃを設ける側である左側に向かって突設される。照明ユニット４の前後長さは門柱本体２の前後長さと略同じであり、また左右幅寸法はその突出端部である左側端部が各設備ユニット３ａ〜３ｃよりもやや外側に突出する長さである。
【００３３】
照明ユニット４の外郭は厚みのある横板状に形成され、最上段の設備ユニットである表札ユニット３ｃの上方に位置する天板部を構成する。この照明ユニット４の外郭は、下方に開口する上ケース６０と、上ケース６０の下開口を閉塞する下カバー６１とで構成してある。上ケース６０はアルミダイキャストで形成され、下カバー６１はアルミ製の板からなる。上ケース６０と下カバー６１からなる外郭内には図９に示すように端子台６２、電源ユニット６３、光源となるＬＥＤ６４等を電子部品として内装している。
【００３４】
図１０に示すように略矩形板状の下カバー６１の中央部には光源用孔６５を穿設している。下カバー６１の門柱本体２側の側端部の後端部には切欠からなる配線挿通用開口部６６を形成してあり、配線挿通用開口部６６の前方には取付部６７を形成している。下カバー６１の門柱本体２側の側端部を構成する取付部６７にはビス８８挿通用の孔６８を前後方向に複数穿設している。下カバー６１の門柱本体２側の端縁よりもやや手前には前後方向に長い取付具通し孔６９を穿設している。下カバー６１の門柱本体２と反対側の側端部の前後両端部を除く部分は他部よりも一段上方に位置し、これにより、下カバー６１の門柱本体２と反対側の側端部の中央には下方及び門柱本体２と反対側の左側方に開口する嵌込凹所７０を形成している。嵌込凹所７０の底部にはビス挿通用の孔７１を前後方向に複数穿設している。
【００３５】
下カバー６１の取付部６７は図３に示す連結具７２を介して上ケース６０に取り付けられる。連結具７２はステンレス製の金具であって、前後に長い横片７３と、横片７３の両側縁から垂設した差込片７４とで断面下向きコ字状に形成してある。横片７３には各孔６８に対応する位置にビス挿通用の孔７５を穿設してあり、また左側の差込片７４には門柱本体２の各孔１０に対応する位置にはねじ孔７６を穿設している。
【００３６】
下カバー６１を上ケース６０に取り付けるには、図４のように、まず、連結具７２の横片７３を下カバー６１の取付部６７上に載置すると共に、左側の差込片７４を下カバー６１の取付部６７の左側の端縁に沿わせ、且つ左側の差込片７４を下カバー６１の取付具通し孔６９に上方から挿通し、左右両側の差込片７４を下カバー６１よりも下方に突出する。そして、差込片７４の各孔７５及びこれに対応する下カバー６１の各孔６８にビス８８を挿通し、各ビス８８を上ケース６０に螺合することで、上ケース６０に連結具７２を取り付け、該連結具７２の横片７３と上ケース６０とで下カバー６１の取付部６７を挟持し、他方で、下カバー６１の嵌込凹所７０の底部の前後方向の中央に位置する孔７１にビス７７を挿通し、該ビス７７を上ケース６０に螺合し、これにより、上ケース６０に対して下カバー６１を固定する。
【００３７】
照明ユニット４を門柱本体２に取り付けるには、連結具７２の下カバー６１から下方に突出した各差込片７４を門柱本体２の上端部（配線通路５の上端部）内に差し込み、門柱本体２の各孔１０に挿通したビス８７を左側の差込片７４に設けたねじ孔７６に螺合して、連結具７２を門柱本体２に取り付ける。このように取り付けた連結具７２は配線通路５の上端部における前後方向の中間部に配置され、この時、配線通路５の上端部の前後両端部は連結具７２の横片７３によって閉塞されず、門柱本体２の前壁部と連結具７２の前端との間、及び、門柱本体２の後壁部と連結具７２の後端との間には配線通過用開口部７８が形成される。前後の配線通過用開口部７８のうち一方（図示例では後の配線通過用開口部７８）は下カバー６１の配線挿通用開口部６６に対向し、この配線通過用開口部７８及び配線挿通用開口部６６を介して配線通路５内の電気配線は照明ユニット４内に導入され、端子台６２に接続される。
【００３８】
このように取り付けた照明ユニット４は若干の隙間７９を介して表札部材４７の上方に位置する。また照明ユニット４の下カバー６１に設けた光源用孔６５は山形形状の表札部材４７の頂部上方に位置し、該光源用孔６５を介して前記照明ユニット４に内装したＬＥＤ６４が下方に臨む。従って、照明ユニット４のＬＥＤ６４を発光することで、該ＬＥＤ６４からの光が隙間７９を介して下方の表札部材４７の前側傾斜板４８の前面及び後側傾斜板４９の後面にあたって前方や後方に反射し、ＬＥＤ６４からの光が表札部材４７の前方や後方に至るので、あたかも表札部材４７が前後方向に発光するような照明を行うことができる。
【００３９】
またポストユニット３ａ、インターホンユニット３ｂ、表札ユニット３ｃは、全て左右方向の幅寸法が同じであるので、上記のように各設備ユニット３ａ〜３ｃを門柱本体２に取り付けた場合、ポストユニット３ａ、インターホンユニット３ｂ、表札ユニット３ｃの夫々の門柱本体２と反対側の端、即ち郵便受け箱７の左側面及び配線ボックス１８の左側面（箱体２３の左側面）及び表札部材４７の左側端面は平面視で重複して面一となるが、照明ユニット４の右側端部はこれら各設備ユニット３ａ〜３ｃよりも門柱本体２と反対側に突出する。なお、照明ユニット４は上記下カバー６１と左右対称形状の下カバー（図示せず）を下カバー６１に替えて上ケース６０に取り付けることが可能となっており、これにより、前述の右用の門柱本体２にも対応できるようにしてある。
【００４０】
ここで、各設備ユニット３ａ〜３ｃの左側面に沿って、ポストユニット３ａ、インターホンユニット３ｂ、表札ユニット３ｃに亘る一枚の側表面板８０が設けてある。
【００４１】
側表面板８０は、前後長さが配線ボックス１８の前後長さと略同じで且つ上下長さがポストユニット３ａ、インターホンユニット３ｂ、表札ユニット３ｃの各高さ寸法を合計した長さと略同一の長さとなったアルミ板からなり、図１１に示すように上下に長い長方形板状の縦板８１と、上端を門柱本体２と反対側の左側に折り曲げて形成した嵌込片８２とで構成してある。縦板８１には上下に複数のねじ孔８３を穿設してあり、また嵌込片８２の前後にはビス８５挿通の孔８４を穿設している。
【００４２】
側表面板８０を機能門柱に取り付けるには、図５のように嵌込片８２を照明ユニット４の下カバー６１に設けた嵌込凹所７０に嵌め込むと共に、縦板８１を面一となった各設備ユニット３ａ〜３ｃの左側面に沿わせる。次に、嵌込片８２の前後に設けた孔８４から挿通したビス８５を下カバー６１の対応する孔７１に通して上ケース６０に螺合すると共に、配線ボックス１８の各孔２９及び郵便受け箱７の側表面板８０側の側板に設けた各孔１５から挿通したビス８６を縦板８１に設けた対応するねじ孔８３に螺合する。ここで本例では、最上段の設備ユニット（表札ユニット３ｃ）の上方に照明ユニット４（天板部）を設け、側表面板８０の上端部に設けた嵌込片８２を照明ユニット４の下面に設けた嵌込凹所７０に嵌め込むので、側表面板８０を確実に位置決めして設備ユニット３に取り付けることができる。このように取り付けた側表面板８０は平面視でその前端が表札部材４７の前端や、配線ボックス１８の前面、郵便受け箱７の前面と重複し、また後端が配線ボックス１８の後面と重複する。
【００４３】
上記機能門柱の施工は、例えば既述のように門柱本体２を地面１に立設し、この後、ポストユニット３ａ、インターホンユニット３ｂ、表札ユニット３ｃを順に門柱本体２に取り付けた後、照明ユニット４及び表札部材４７を取り付けることで行われる。
【００４４】
このように本実施形態の機能門柱は、左右幅寸法が略同じ設備ユニット３ａ〜３ｃを複数備え、門柱本体２の一方の側面に沿って複数の設備ユニット３ａ〜３ｃを上下に並設すると共に各設備ユニット３ａ〜３ｃの門柱本体２と反対側の側面を揃えて面一とし、設備ユニット３ａ〜３ｃを挟んで門柱本体２と反対側の位置に、複数の設備ユニット３ａ〜３ｃの門柱本体２と反対側の側面に沿い且つ複数の設備ユニット３ａ〜３ｃに亘る一枚の側表面板８０を設けているので、機能門柱を前方から見た場合には、各設備ユニット３ａ〜３ｃの前面を視認できて各設備ユニット３ａ〜３ｃの機能を容易に理解できる。また、左右幅寸法が同じである設備ユニット３ａ〜３ｃを門柱本体２の同一側面に上下に並設することで、正面から見て門柱本体２の上部から複数の設備ユニット３ａ〜３ｃを内装した一塊のボックスを突出したような新規で統一感のある外観とすることができる。またこれら各設備ユニット３ａ〜３ｃの面一となった門柱本体２と反対側の側面は複数の設備ユニット３ａ〜３ｃに亘る一枚の側表面板８０で覆い隠すことができ、すっきりとした一体感のある外観とすることができる。また、門柱本体２の同一側面に複数の設備ユニット３ａ〜３ｃを設けることで、門柱本体２の左右幅寸法を小さくでき、一層すっきりとした一体感のある外観とすることができ、また機能門柱を小型化できる。
【００４５】
なお、本例では複数の設備ユニット３ａ〜３ｃを門柱本体２の左側の側面にのみ設けたが、複数の設備ユニットを門柱本体２の右側の側面にのみ設けても良いし、また左右両方の側面に設けても良いものとする。
【図面の簡単な説明】
【００４６】
【図１】本発明の実施の形態の一例の機能門柱の全体斜視図である。
【図２】（ａ）は同上の機能門柱の正面図であり、（ｂ）は同上の機能門柱の側表面板側から見た側面図である。
【図３】同上の機能門柱の分解斜視図である。
【図４】（ａ）は同上の機能門柱の要部正面断面図であり、（ｂ）は（ａ）の側断面図である。
【図５】図４（ａ）の要部拡大図である。
【図６】図４（ｂ）の要部拡大図である。
【図７】同上の台座を示し、（ａ）は正面図、（ｂ）は側面図、（ｃ）は平面図である。
【図８】同上の蓋体の正面図である。
【図９】同上の照明ユニットの水平断面図である。
【図１０】同上の照明ユニットの下カバーを示し、（ａ）は平面図、（ｂ）は正面図である。
【図１１】同上の側表面板を示し、（ａ）は正面図、（ｂ）は側面図、（ｃ）は平面図である。
【符号の説明】
【００４７】
２  門柱本体
３ｃ  表札ユニット
５  配線通路
１６  配線作業用開口部
１８  配線ボックス
２１  ボックス本体
２２  蓋体
５４  覆部
【図１】
2008280756.tif 000003
【図２】
2008280756.tif 000004
【図３】
2008280756.tif 000005
【図４】
2008280756.tif 000006
【図５】
2008280756.tif 000007
【図６】
2008280756.tif 000008
【図７】
2008280756.tif 000009
【図８】
2008280756.tif 000010
【図９】
2008280756.tif 000011
【図１０】
2008280756.tif 000012
【図１１】
2008280756.tif 000013